(57)【要約】【課題】複数の対象物をグループ化するにあたって、グループ指定の結果を代表対象物として表示させるように制御できるようにした表示制御装置を提供する。【解決手段】表示制御装置の指定受付手段は、第１表示手段に表示される複数の対象物について、グループの指定に関する指示を受け付け、第１の対象物生成手段は、前記グループ指定された複数の対象物から、１の代表対象物を生成し、表示制御手段は、前記グループ指定された複数の対象物と前記代表対象物とを、前記第１表示手段に表示する。【選択図】図１
2019175518.tif 000002
【特許請求の範囲】
【請求項１】
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段と、
を備える表示制御装置。
【請求項２】
前記指定受付手段は、通信接続された端末から、前記複数の対象物についてグループの指定を受け付け、
前記第１の対象物生成手段は、前記指定受付手段がグループの指定を受け付ける毎に１の代表対象物を生成し、
前記表示制御手段は、前記第１の対象物生成手段によって代表対象物が生成される毎に、該代表対象物と前記グループ指定された対象物とを、前記第１表示手段に表示する、
請求項１に記載の表示制御装置。
【請求項３】
前記代表対象物に対してグループ指定の解除を受け付けた場合に、該代表対象物を構成する対象物を、該代表対象物の位置に応じた箇所に表示する、指定解除手段、
を備える請求項１又は２に記載の表示制御装置。
【請求項４】
前記指定解除手段によりグループ指定の解除を受け付けた代表対象物について、該代表対象物を構成する複数の対象物と、該代表対象物以外であって予め定めた関係にある複数の対象物とが、少なくとも１以上重複する場合には、該重複する対象物に対して重複する旨を示唆する表示態様にする、表示態様制御手段
を備える請求項３に記載の表示制御装置。
【請求項５】
前記指定受付手段は、少なくとも１の対象物が移動操作された結果、該対象物の移動先での位置と、予め定めた位置関係にある対象物同士を、グループ指定された複数の対象物として受け付ける、
請求項１から４のいずれか一項に記載の表示制御装置。
【請求項６】
表示制御装置と通信する通信手段と、
複数の対象物を表示する第２表示手段と、
前記第２表示手段に表示される複数の対象物について、グループの指定に関する指示を受け付ける第２の指定受付手段と、
前記第２の指定受付手段により、グループ指定された複数の対象物から、１の代表対象物を生成する第２の対象物生成手段と、
前記表示制御装置が備える第１表示手段に前記代表対象物を表示するように指示する指示手段と、
を備える通信端末。
【請求項７】
コンピュータを、
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段
として機能させるための表示制御プログラム。
【発明の詳細な説明】
【技術分野】
【０００１】
本発明は、表示制御装置、通信端末及び表示制御プログラムに関する。
【背景技術】
【０００２】
特許文献１には、同一箇所に付される複数の電子付箋をまとめて取り扱い、電子付箋の貼り付け又は閲覧を容易にすることを課題とし、電子文書に対して電子付箋が貼り付けされ、電子付箋の一部は同一箇所に貼り付けされ、ユーザーが電子付箋のグループ化を指示すると、各電子付箋が貼り付けされた箇所に関する位置情報が取得され、貼り付け箇所が同じである複数の電子付箋が電子付箋束としてグループ化され、表示においては、電子付箋束毎に、含まれる電子付箋が貼り付け又は更新時間順に重ねられ、これにより、限られたスペースに複数の電子付箋が貼り付け可能となるほか、閲覧も容易となることが開示されている。
【０００３】
特許文献２には、電子マニュアル等の電子ページの原型をそのまま残しつつ、各利用者に対応した個別の付箋情報、及び、利用者に全員に示すための共有の付箋情報を電子ページ上に表示することが可能な電子付箋装置、電子付箋貼り付け方法及び電子付箋プログラムが記録された記録媒体を提供することを課題とし、サーバー側に設けられた利用者登録情報記憶手段と、オリジナル電子ページ記憶手段と、サーバーやクライアント側から入力された利用者情報に基づいて利用者を確認する確認手段と、利用者別の付箋情報を記憶する個別付箋情報記憶手段と、利用者全員が共有すべき付箋情報を記憶する共有付箋情報記憶手段とをサーバー側に設け前記利用者に対応し、前記電子ページに対応する共有付箋情報と前記個別付箋情報を示す電子付箋ウインドウを前記電子ページの表示画面上の所定の位置に重ねて表示することが開示されている。
【０００４】
特許文献３には、電子コンテンツに付箋やコメントをはじめとするオブジェクトを貼り付けて表示するシステムにおいて、オブジェクトの数が多い場合でも閲覧者が希望に合ったオブジェクトを選択して表示することができ、閲覧者にとって必要な情報のみを表示することを課題とし、画面上に表示された電子コンテンツに貼り付けオブジェクトを付して表示することができる電子コンテンツ表示システムであって、電子コンテンツ中の第１閲覧者が指定した箇所に紐付けて、第１閲覧者が入力した貼り付けオブジェクトを貼り付けた後、その電子コンテンツ中の第２閲覧者が指定した箇所に紐付けて、第２閲覧者が入力した貼り付けオブジェクトを貼り付けるとき、第２閲覧者が指定した箇所が第１閲覧者が指定した箇所と重なっていた場合、第２閲覧者用に表示された電子コンテンツ上に、第１閲覧者が貼り付けた貼り付けオブジェクトを表示することが開示されている。
【０００５】
特許文献４には、検体から培養した細菌コロニーを多数釣菌する装置において、培養したシャーレより釣菌する細菌コロニーを自動、あるいは半自動的に決定する方法で、シャーレ上には複数種の細菌コロニーが存在し、例えば薬剤耐性を測定する場合に、異なる種類の細菌コロニーを混在させて釣菌すると正確な薬剤耐性を判定することができる方法を提供することを課題とし、複数方向から照明した画像より孤立したコロニーを自動抽出し、また、この複数方向から照明した複数の画像より画像特徴量を算出して特徴量に基づきグルーピングを行い、このグルーピング結果に基づいて釣菌するコロニーを決定することが開示されている。
【先行技術文献】
【特許文献】
【０００６】
【特許文献１】特開２００５−２０２５９６号公報
【特許文献２】特開２００２−１０８８９７号公報
【特許文献３】特開２０１３−００８３８２号公報
【特許文献４】特開２０１２−０８０８０２号公報
【発明の概要】
【発明が解決しようとする課題】
【０００７】
本発明は、複数の対象物をグループ化するにあたって、グループ指定の結果を代表対象物として表示させるように制御できるようにした表示制御装置、通信端末及び表示制御プログラムを提供することを目的としている。
【課題を解決するための手段】
【０００８】
かかる目的を達成するための本発明の要旨とするところは、次の各項の発明に存する。
【０００９】
請求項１の発明は、第１表示手段に表示される複数の対象物について、グループの指定に関する指示を受け付ける指定受付手段と、前記グループ指定された複数の対象物から、１の代表対象物を生成する第１の対象物生成手段と、前記グループ指定された複数の対象物と前記代表対象物とを、前記第１表示手段に表示する、表示制御手段と、を備える表示制御装置である。
【００１０】
請求項２の発明は、前記指定受付手段は、通信接続された端末から、前記複数の対象物についてグループの指定を受け付け、前記第１の対象物生成手段は、前記指定受付手段がグループの指定を受け付ける毎に１の代表対象物を生成し、前記表示制御手段は、前記第１の対象物生成手段によって代表対象物が生成される毎に、該代表対象物と前記グループ指定された対象物とを、前記第１表示手段に表示する、請求項１に記載の表示制御装置である。
【００１１】
請求項３の発明は、前記代表対象物に対してグループ指定の解除を受け付けた場合に、該代表対象物を構成する対象物を、該代表対象物の位置に応じた箇所に表示する、指定解除手段、を備える請求項１又は２に記載の表示制御装置である。
【００１２】
請求項４の発明は、前記指定解除手段によりグループ指定の解除を受け付けた代表対象物について、該代表対象物を構成する複数の対象物と、該代表対象物以外であって予め定めた関係にある複数の対象物とが、少なくとも１以上重複する場合には、該重複する対象物に対して重複する旨を示唆する表示態様にする、表示態様制御手段を備える請求項３に記載の表示制御装置である。
【００１３】
請求項５の発明は、前記指定受付手段は、少なくとも１の対象物が移動操作された結果、該対象物の移動先での位置と、予め定めた位置関係にある対象物同士を、グループ指定された複数の対象物として受け付ける、請求項１から４のいずれか一項に記載の表示制御装置である。
【００１４】
請求項６の発明は、表示制御装置と通信する通信手段と、複数の対象物を表示する第２表示手段と、前記第２表示手段に表示される複数の対象物について、グループの指定に関する指示を受け付ける第２の指定受付手段と、前記第２の指定受付手段により、グループ指定された複数の対象物から、１の代表対象物を生成する第２の対象物生成手段と、前記表示制御装置が備える第１表示手段に前記代表対象物を表示するように指示する指示手段と、を備える通信端末である。
【００１５】
請求項７の発明は、コンピュータを、第１表示手段に表示される複数の対象物について、グループの指定に関する指示を受け付ける指定受付手段と、前記グループ指定された複数の対象物から、１の代表対象物を生成する第１の対象物生成手段と、前記グループ指定された複数の対象物と前記代表対象物とを、前記第１表示手段に表示する、表示制御手段として機能させるための表示制御プログラムである。
【発明の効果】
【００１６】
請求項１の表示制御装置によれば、複数の対象物をグループ化するにあたって、グループ化指定の結果を代表対象物として表示させるように制御できる。
【００１７】
請求項２の表示制御装置によれば、端末によってグループ化指定が行われる毎に、代表対象物を表示することができる。
【００１８】
請求項３の表示制御装置によれば、グループ指定の解除を受け付けた場合に、その代表対象物を構成する対象物を、その代表対象物の位置に応じた箇所に表示することができる。
【００１９】
請求項４の表示制御装置によれば、ある対象物が複数のグループにおいて重複採用されている場合、その重複する旨を示唆する表示態様にするように制御することができる。
【００２０】
請求項５の表示制御装置によれば、対象物の移動操作によって、グループ指定を行うことができる。
【００２１】
請求項６の通信端末によれば、通信端末でグループ指定と代表対象物を生成することができる。
【００２２】
請求項７の表示制御プログラムによれば、複数の対象物をグループ化するにあたって、グループ化指定の結果を代表対象物として表示させるように制御できる。
【図面の簡単な説明】
【００２３】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示すフローチャートである。
【図５】本実施の形態による処理例を示す説明図である。
【図６】本実施の形態による処理例を示すフローチャートである。
【図７】本実施の形態による処理例を示す説明図である。
【図８】本実施の形態による処理例を示すフローチャートである。
【図９】本実施の形態による処理例を示す説明図である。
【図１０】本実施の形態による処理例を示す説明図である。
【図１１】本実施の形態による処理例を示すフローチャートである。
【図１２】付箋間距離テーブルのデータ構造例を示す説明図である。
【図１３】画面における付箋の配置例を示す説明図である。
【図１４】本実施の形態による処理例を示す説明図である。
【図１５】本実施の形態による処理例を示す説明図である。
【図１６】本実施の形態を実現するコンピュータのハードウェア構成例を示すブロック図である。
【発明を実施するための形態】
【００２４】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２５】
本実施の形態である電子付箋制御装置１５０は、対象物とその対象物のグループを示す代表対象物の表示を制御するものであって、図１の例に示すように、端末管理モジュール１５５、付箋、グループ情報管理モジュール１６０、付箋間距離計算モジュール１６５、端末グループ差分判定モジュール１７０、グループ判定モジュール１７５を有している。また、電子付箋制御装置１５０は、共有画面端末１００、個人端末１２０と通信回線を介して接続されている。ここで対象物とは、例えば、電子付箋（以下、付箋ともいう）、カード、文書等がある。対象物の例として、付箋を示して説明する。
前述の特許文献に記載されているように、電子付箋システムによって、従来の紙付箋作業に比べて、複数名での作業における付箋の作成及び貼り付け作業効率が向上した。
しかしながら、ブレインストーミング、ＫＪ法等における付箋貼り付け後に行われるグループ化作業は、従来の電子付箋システムにおいても、各ユーザーで行うことは困難であり、一般的にはファシリテーターなど代表者が代表してグループ化作業を行う必要があった。
また、紙の付箋を用いた作業でよく行われる、複数人でエリアを分担して行うグループ化は、エリア毎のマージで新たな作業が発生し、決して効率が上がるものではない。
本実施の形態は、参加者による独立したグルーピングの成果を共有する際に用いるものである。
【００２６】
付箋を付与する対象が文書やテンプレートなど、空間的な位置に意味のあるものを対象とする場合と異なり、電子白紙（電子付箋を貼り付ける空間であって、背景、台紙等ともいわれる。以下、白紙ともいう）への付箋貼り付けにおいては、付箋が貼り付けられた位置には意味がない。意味付け（例えば、グループへの見出し付け等）は、その後に行われるのが通常である。
このため、参加者の個々が白紙上でのグループ化を行おうとすると、同じ意味を持つグループが別の位置に出現することになる。このため、位置情報をそのままマージすることは困難であり、また座標の平均のようなことを行うと、本来あった意味すら失う可能性がある。
また付箋作成時に属性（グループに関する属性）を与えることは困難であり、そもそも付箋作成時又はその直後は、グループを決定していないのが通常である。また、そのような処理を実現したとしても、電子付箋システムでは利用シーンが限定されてしまう。
【００２７】
共有画面端末１００は、前述のファシリテーター等が用いるものであって、複数人のユーザーが見ることができる表示装置（共有画面）を備えている。ここでの表示装置として、例えば、大画面の液晶ディスプレイ、プロジェクタ等であってもよい。例えば、通信機能を有しているＰＣ、ノートＰＣ、タブレット型端末等であってもよい。また、ＰＣ等は表示装置に内蔵されていてもよい。さらに、電子付箋制御装置１５０が、共有画面端末１００に内蔵されていてもよい。
個人端末１２０は、参加者であるユーザー個人が所持しているものであって、表示装置を有している。例えば、通信機能を有しているノートＰＣ、タブレット型端末、携帯端末（例えば、スマートフォンを含む携帯電話等）等であってもよい。その表示装置では、共有画面端末１００の表示装置と同等の表示を行う場合、そのユーザーが操作（例えば、グループ化等の操作）するための表示を行う場合がある。
共有画面端末１００、個人端末１２０、電子付箋制御装置１５０によるシステムは、共有画面端末１００又は個人端末１２０の複数人のユーザー（ファシリテーターを含む）によって、操作対象（付箋、白紙、グループ化された付箋群等）を共有するものである。参加者であるユーザーは、共有画面端末１００の共有画面とは別に、個人端末１２０の表示画面上で自由に付箋を動かしたりすることができる。つまり、複数のユーザーが、一つの操作対象である付箋に対して、異なる時間又は異なる表示画面で、別々に操作可能である。
【００２８】
共有画面端末１００は、主に、ファシリテーターによって使用され、付箋モジュール１０５、共有画面表示モジュール１１０、共有画面編集モジュール１１５を有している。
付箋モジュール１０５は、付箋の作成、変更、削除等の操作を受け付け、その操作に応じた処理を行う。ファシリテーターによる共有画面端末１００に対する操作を受け付けて、その操作に応じて、付箋の作成、変更、削除に関する処理を行う場合や、個人端末１２０での付箋の操作や処理結果を受け付けて、個人端末１２０でのユーザーの操作に応じた付箋の作成、変更、削除に関する処理を行う場合もある。
共有画面編集モジュール１１５は、共有画面端末１００の表示装置に表示された付箋に対する移動操作を受け付け、その操作に応じて、白紙上（表示装置上）で付箋を移動させる。
共有画面表示モジュール１１０は、付箋モジュール１０５によって作成された付箋を表示装置に表示する。そして、付箋モジュール１０５によって行われた処理結果（変更処理、削除処理等）を表示する。また、共有画面編集モジュール１１５による移動処理に応じて、付箋の位置を変更する。そして、表示されているもの（各付箋の内容、属性等に関する情報と、その表示位置に関する情報であってもよいし、表示装置のスナップショットの画像等であってもよい）を個人端末１２０へ送信する。
【００２９】
個人端末１２０は、参加者であるユーザーによって使用され、付箋モジュール１２５、共有画面表示モジュール１３０、共有画面個別編集モジュール１３５を有している。
付箋モジュール１２５は、付箋の作成、変更、削除等の操作を受け付け、その操作に応じた処理を行う。その処理結果を共有画面端末１００へ送信するようにしてもよい。
共有画面個別編集モジュール１３５は、個人端末１２０の表示装置に表示された付箋に対する移動操作を受け付け、その操作に応じて、白紙上（表示装置上）で付箋を移動させる。
共有画面表示モジュール１３０は、付箋モジュール１２５によって作成された付箋を表示装置に表示する。そして、付箋モジュール１２５によって行われた処理結果（変更処理、削除処理等）を表示する。また、共有画面個別編集モジュール１３５による移動処理に応じて、付箋の位置を変更する。また、共有画面端末１００の表示装置に表示されているものを受け付け、個人端末１２０の表示装置に表示するようにしてもよい。
【００３０】
共有画面端末１００、個人端末１２０、電子付箋制御装置１５０は、それぞれ通信回線を介して接続されている。個人端末１２０は、複数あってもよい。
電子付箋制御装置１５０は、個々の個人端末１２０でグループ化された結果を共有画面端末１００に送信し、共有画面端末１００の表示装置における表示を制御する。
端末管理モジュール１５５は、付箋、グループ情報管理モジュール１６０、付箋間距離計算モジュール１６５、グループ判定モジュール１７５と接続されている。端末管理モジュール１５５は、共有画面端末１００、個人端末１２０を管理する。例えば、共有画面端末１００とそれ以外の区別、共有画面端末１００、個人端末１２０で行われた操作、処理等を検知し、特に、どの個人端末１２０で付箋のグループ化が行われたかを検知する。
【００３１】
付箋、グループ情報管理モジュール１６０は、端末管理モジュール１５５、付箋間距離計算モジュール１６５、グループ判定モジュール１７５と接続されている。付箋、グループ情報管理モジュール１６０は、代表対象物に対してグループ指定の解除を受け付けた場合に、その代表対象物を構成する付箋を、その代表対象物の位置に応じた箇所に表示するように制御する。ここで「グループ指定の解除」とは、他の個人端末１２０（共有画面端末１００を含めてもよく、対象としている個人端末１２０以外の個人端末１２０）で指定されたグループ化の処理結果である代表対象物を指定してグループ化を解除することであり、具体的には、その代表対象物を構成している付箋を、対象としている共有画面端末１００（又は個人端末１２０）で表示することである。なお、解除は、ユーザーの操作（例えば、その対象物を選択する等）によって実行されてもよいし、予め定められた条件を満たした場合（例えば、代表対象物を表示してから予め定められた時間が経過した場合等）に実行するようにしてもよい。
【００３２】
また、付箋、グループ情報管理モジュール１６０は、グループ指定の解除を受け付けた代表対象物について、その代表対象物を構成する複数の付箋と、その代表対象物以外であって予め定めた関係にある複数の付箋とが、少なくとも１以上重複する場合には、その重複する付箋に対して重複する旨を示唆する表示態様にするように制御する。ある付箋が、複数のグループに重複して採用されているパターンに対応するものである。つまり、ある代表対象物に対するグループ指定の解除を受け付けた場合、その代表対象物を構成する複数の付箋を表示するように制御するが、その際に、これら複数の付箋が、他のグループにも含まれていることで、複数のグループに重複して採用されているパターンを想定している。ここで「予め定めた関係にある複数の付箋」とは、（１）予め定めた範囲（距離）内にある複数の付箋、（２）ユーザーによって明示的にグループ指定された関係にある複数の付箋（既にグループ指定が解除されていてもよいし、未だグループ指定が解除されていなくてもよい。）などが該当するものである。
【００３３】
付箋間距離計算モジュール１６５は、端末管理モジュール１５５、付箋、グループ情報管理モジュール１６０、グループ判定モジュール１７５と接続されている。付箋間距離計算モジュール１６５は、共有画面端末１００又は個人端末１２０の表示装置に表示されている付箋間の距離を算出する。ここでの距離は、例えば、ユークリッド距離を用いればよい。ただし、共通の白紙における距離であって、表示装置上における距離ではない。共有画面端末１００、個人端末１２０によって表示装置の大きさが異なるためである。具体例については、図１２、図１３の例を用いて後述する。
【００３４】
端末グループ差分判定モジュール１７０は、グループ判定モジュール１７５と接続されている。端末グループ差分判定モジュール１７０は、各個人端末１２０上で編集された付箋位置に基づいて判定された各個人端末１２０毎のグループ情報に基づき、共有画面端末１００の表示装置における付箋の状態（グループの状態等）と個人端末１２０の表示装置における付箋の状態（グループの状態等）の差分を判定して、共有画面端末１００の表示装置への反映方法を決定する。複数の個人端末１２０によるグループ化の結果の反映には、個人端末１２０の数（ｎ）に応じたｎ次元空間で判定すればよい。
【００３５】
グループ判定モジュール１７５は、端末管理モジュール１５５、付箋、グループ情報管理モジュール１６０、付箋間距離計算モジュール１６５、端末グループ差分判定モジュール１７０と接続されている。グループ判定モジュール１７５は、共有画面端末１００の表示装置に表示される複数の付箋について、共有画面端末１００又は個人端末１２０からグループの指定に関する指示を受け付ける。そして、そのグループ指定された複数の付箋から、１の代表対象物を生成する。次に、そのグループ指定された複数の付箋と代表対象物とを、共有画面端末１００の表示装置に表示するように制御する。ここで「代表対象物」とは、グループ化の処理結果を示すものであって、その形態は、付箋と区別可能なものであればよい。例えば、色、形状、模様、タイトル文字列（代表対象物であることを示す文字列）、ブリンク（点滅）、透明度合い等又はこれらの組み合わせによって区別可能とする。さらに、グループ化したユーザー毎に区別可能に表示するようにしてもよい。また、「グループ指定された複数の付箋」とは、前述の代表対象物に対しての「グループ指定の解除」を受け付けた場合に、表示する付箋群であって、「代表対象物を構成する付箋」である。また、代表対象物の形態として、代表対象物内にそのグループを構成している付箋を縮小表示するようにしてもよい。
また、例えば、個人端末１２０からグループ指定を受け付ける毎に、代表対象物を表示するようにしてもよい。そのために、グループ判定モジュール１７５は、通信接続された個人端末１２０から、複数の対象物についてグループの指定を受け付けるようにしてもよい。そして、グループの指定を受け付ける毎に１の代表対象物を生成するようにしてもよい。次に、代表対象物が生成される毎に、その代表対象物とグループ指定された付箋とを、共有画面端末１００の表示装置に表示するようにしてもよい。
また、グループ判定モジュール１７５は、少なくとも１の付箋が移動操作された結果、その付箋の移動先での位置と、予め定めた位置関係にある付箋同士を、グループ指定された複数の付箋として受け付けるようにしてもよい。付箋の移動操作の後、その移動後の付箋の近くにある付箋同士をグループ化するようにしてもよい。
【００３６】
グループの指定とは、例えば、以下のものがある。
（Ａ１）参加者であるユーザーが所持する個人端末１２０に表示された付箋が、参加者の操作により移動された結果、複数の付箋が予め定められた関係にあると判断された場合、その関係を満たす複数の付箋はグループの指定がなされたものとみなす。この場合、予め定められた関係とは、付箋間の距離が予め定められた関係（具体的には、付箋間の距離が予め定められた閾値未満又は以下である関係）にある場合、付箋の配置が、予め定められた関係（具体的には、付箋の密度が予め定められた閾値より高い又は以上である関係、付箋が予め定められた間隔で配置されている関係、付箋の集団（付箋の密度が予め定められた閾値より高い又は以上である関係等）の外形が楕円形を形成している関係等）にある場合等をいう。なお、（Ａ１）で距離（空間）以外にグループ化の判断をする要素として、付箋の属性、付箋の作成時間等、又はこれらの組み合わせを用いるようにしてもよい。
（Ａ２）参加者であるユーザーの操作により、グループ化したい複数の付箋が選択された結果、複数の付箋が予め定められた関係にあると判断された場合、その関係を満たす複数の付箋はグループの指定がなされたものとみなす。操作者から選択指示を受け付けた場合は、その指示情報を保持しておき、この指示情報を保持する付箋は、予め定められた関係にある場合という。例えば、グループ化のモード（処理体系）において、ユーザーの操作によって選択された付箋をグループ化の対象としてもよいし、指定された領域に移動された付箋をグループ化の対象としてもよいし、楕円等の領域を移動、拡大、縮小等して、その領域によって囲まれた付箋をグループ化の対象としてもよい。この（Ａ２）は、ユーザーによるグループ化の意図が明確である。
また、（Ａ１）と（Ａ２）のモードを切り替えられるようにしてもよい。さらに、（Ａ１）の場合は、グループ化の自動認識処理を行うモードとグループ化の自動認識処理を行わないモードを用意してもよい。そして、モードを切り替えたタイミングで、代表対象物を表示させるようにしてもよい。なお、付箋が新たに作成（貼り付け）されても動作上の影響はない。
【００３７】
電子付箋制御装置１５０は、２つ以上の情報処理装置（共有画面端末１００、個人端末１２０の組み合わせ、又は複数の個人端末１２０）での独立した付箋に対する操作（時間的、空間的に独立）において、付箋間の関係が予め定められた条件になった複数の付箋をそれぞれ一旦グループと認識する。
独立した作業結果を共有する画面（共有画面端末１００の画面等）に反映する際、共有画面上には付箋をそのまま残しつつ、他でのグループ化の処理結果を示す代表対象物を表示する。
なお、本実施の形態では、空間上の配置の違いを全て解消するものではなく、また空間上の配置の自由度を確保するために、付箋群として意味のあるグループを抽出して、その意味を代表対象物として表示する。電子付箋制御装置１５０は、付箋の操作におけるグループ化作業を支援するものである。
なお、付箋の作成位置、反映元、反映先におけるグループに含まれる付箋に応じ、グループ指定の解除指示（代表対象物の選択等の操作）を受け付けた場合に、他の装置でのグループ化の処理結果を表示に反映（グループ展開）させる。そして、グループを展開した際の、付箋の配置は、既存の付箋の位置に基づいて、制御・表示する。
また、個人端末１２０毎にグループ化作業履歴を保存し、共有画面端末１００の共有画面に対してだけでなく、個人作業と個人作業のマージ処理に適用するようにしてもよい。
なお、予め定められた条件は、共有画面端末１００、個人端末１２０のデバイスの違い、作業内容の違い、付箋の数の違い等に応じて決定される。
【００３８】
図２は、本実施の形態を利用したシステム構成例を示す説明図である。
会議室２１０Ａ内には、共有画面端末１００Ａが設置されており、各ユーザーが個人端末１２０Ａ１、個人端末１２０Ａ２、個人端末１２０Ａ３、個人端末１２０Ａ４、個人端末１２０Ａ５、個人端末１２０Ａ６を所持している。
同様に、会議室２１０Ｂ内には、共有画面端末１００Ｂが設置されており、各ユーザーが個人端末１２０Ｂ１、個人端末１２０Ｂ２、個人端末１２０Ｂ３、個人端末１２０Ｂ４、個人端末１２０Ｂ５を所持している。
共有画面端末１００、個人端末１２０、電子付箋制御装置１５０は、通信回線２９０を介してそれぞれ接続されている。通信回線２９０は、無線、有線、これらの組み合わせであってもよく、例えば、通信インフラとしてのインターネット、イントラネット等であってもよい。
電子付箋制御装置１５０の機能は、各会議室２１０内の共有画面端末１００、個人端末１２０に対して、クラウドサービスとして提供してもよい。
例えば、各会議室２１０において、付箋を用いた議論等が行われ、その際に、ファシリテーターは共有画面端末１００を用い、各参加者であるユーザーは個人端末１２０を用いて、付箋の作成、グループ化の操作等を行う。その操作の結果が、共有画面端末１００の表示装置に反映される。
【００３９】
図３は、本実施の形態による処理例を示すフローチャートである。以下の表示画面Ａとは、共有画面端末１００又は個人端末１２０のいずれかの表示装置における画面をいい、表示画面Ｂとは、表示画面Ａ以外の共有画面端末１００又は個人端末１２０のいずれかの表示装置における画面をいう。個人端末１２０は複数あってもよいので、表示画面Ａが、ある個人端末１２０（ユーザーＡの個人端末１２０）での表示画面であって、表示画面Ｂは、表示画面Ａの個人端末１２０以外の個人端末１２０（ユーザーＢの個人端末１２０）の表示画面であってもよい。
ステップＳ３０２では、ユーザーＡによって、表示画面Ａでの付箋操作が行われる。
ステップＳ３０４では、他の表示画面ＢでのユーザーＢによる操作があったか否かを判断し、あった場合はステップＳ３０６へ進み、それ以外の場合はステップＳ３０８へ進む。
ステップＳ３０６では、表示画面Ｂでグループ化があったか否かを判定し、ある場合はステップＳ３１０へ進み、それ以外の場合はステップＳ３０８へ進む。
ステップＳ３０８では、表示画面Ａに対して何もしない。
ステップＳ３１０では、表示画面Ａに表示画面Ｂにおけるグループを代表対象物で表示する。
ステップＳ３１２では、表示画面Ａにおける操作等に応じて、代表対象物が示すグループの付箋を区別して表示する。ステップＳ３１２での処理について、図４〜１１を用いて説明する。
【００４０】
図４は、本実施の形態による処理例を示すフローチャートである。
ステップＳ４０２では、表示画面Ａで代表対象物に対する操作があったか否かを判断し、あった場合はステップＳ４０４へ進み、それ以外の場合は処理を終了する（ステップＳ４９９）。
ステップＳ４０４では、代表対象物が示すグループの付箋を表示画面Ａ上で移動して、グループを形成し、他の付箋と区別する表示を行う。具体的に、図５の例を用いて説明する。
【００４１】
図５は、本実施の形態による処理例を示す説明図である。上段に、個人端末１２０における画面５００の表示例を示し、下段に共有画面端末１００における画面５５０の表示例を示す。また、左から右方向へ時系列に並んでいる。以下、図７、図９、図１０の例において同様である。
（Ｂ−１）例えば、共有画面端末１００の画面５５０で付箋５５２、付箋５５４等の１２個の付箋が表示されている。一方、個人端末１２０の画面５００でも（Ｂ−１）と同じように、付箋５０２、付箋５０４等の１２個の付箋が表示されている。もちろんのことながら、（Ｂ−１）と同じものが表示されており、その位置関係が同じである。なお、画面５００での付箋の符号は５０２〜５２４で表示し、画面５５０での付箋の符号は５５２〜５７４で表示しているが、付箋５０２等は付箋５５２等と同じものである。以下、図７、図９、図１０の例において同様である。
（Ａ−１）個人端末１２０において、参加者であるユーザーの操作に応じて、画面５００で付箋の移動を行う。例えば、付箋５０２Ａの位置から付箋５０２Ｂの位置等への移動が行われる。ここでは、付箋５０２、付箋５０４、付箋５０６、付箋５０８を移動したが、付箋５０２、付箋５０４、付箋５０６を、１つのグループとする意図で移動が行われている。つまり、ユーザーは個人端末１２０の画面５００上で、付箋の位置を変更することで、分類をしようとする場合がある。本実施の形態での操作の場合では、付箋５０２、付箋５０４、付箋５０６を一つのグループにしようと考えたユーザーは、これらの付箋間の距離が一定の距離以下となるように移動する操作を行う。一方、付箋５０８も移動されているものの、他の付箋との距離が遠くなるように移動されている。
（Ａ−２）付箋間の距離から予め定められた閾値以下にいる付箋をグループと認識する。ここでは、移動が行われた付箋を対象として、距離を算出する。例えば、付箋５０２、付箋５０４、付箋５０６をグループ５３０と認識する。なお、前述したように、ユーザーの操作に応じてグループ化の処理を行うようにしてもよい。
【００４２】
（Ｂ−２）共有画面端末１００における画面５５０（共有画面）で、個人端末１２０によって指定されたグループを受信して、１つの代表対象物５８０（ここでは色が普通の付箋とは異なる付箋オブジェクト）として表示している。なお、代表対象物５８０は、既に表示されている付箋の位置以外であれば、いずれの場所に表示してもよい。
（Ｂ−３）ユーザーの操作によって代表対象物５８０が選択されると、その代表対象物５８０によって示されていたグループ（付箋群）を展開して、表示する。例えば、（Ｂ−３）の例に示すように、付箋５５２、付箋５５４、付箋５５６を、グループ化の処理を行った個人端末１２０における表示（Ａ−２）と同等の位置（付箋５０２Ｂ、付箋５０４Ｂ、付箋５０６Ｂの位置）に移動して表示する。ここで、同等の位置として、共有画面端末の共有画面５５０上で、個人端末１２０の画面５００上のＸ，Ｙ座標と同じ座標を表す位置に、付箋５５２、付箋５５４、付箋５５６を移動して表示する方法が考えられる。それ以外の方法として、共有画面端末１００における画面５５０における付箋５５２、付箋５５４、付箋５５６の３つの付箋の相対的な位置関係が、個人端末１２０の画面５００上での付箋５０２Ｂ、付箋５０４Ｂ、付箋５０６Ｂと同様の相対的な位置関係になるように、共有画面５５０上で、付箋５５２、付箋５５４、付箋５５６を移動して表示するようにしてもよい。
【００４３】
図６は、本実施の形態による処理例を示すフローチャートである。本実施の形態は、表示画面Ａを有する端末Ａに対するユーザーによるグループ化の操作と、他の端末Ｂに対するユーザーによるグループ化の操作が並行して行われた場合を想定した実施の形態である。端末Ｂを操作して、複数の付箋をグループ化した場合には、グループ化がされたことを検出した端末Ａの表示画面Ａ上には、代表対象物が表示される。また並行して行われる端末Ａの操作によって、表示画面Ａ上で代表対象物に対してグループ化を解除する操作がなされた際に、代表対象物によって示されていたグループに含まれる複数の付箋が、表示画面Ａを操作するユーザーによって別のグループに属していた場合の表示の方法を説明するものである。
ステップＳ６０２では、表示画面Ａで代表対象物に対する操作があったか否かを判断し、あった場合はステップＳ６０４へ進み、それ以外の場合は処理を終了する（ステップＳ６９９）。
ステップＳ６０４では、代表対象物が示すグループの付箋が表示画面Ａ上において既にグループに含まれるか否かを判断し、含まれる場合はステップＳ６０８へ進み、それ以外の場合はステップＳ６０６へ進む。
ステップＳ６０６では、代表対象物が示すグループの付箋を表示画面Ａ上で移動して、グループを形成し、他の付箋と区別する表示を行う。
ステップＳ６０８では、表示画面Ａ上で付箋の移動をせずに、代表対象物が示すグループの付箋を他の付箋と区別して表示する。具体的に、図７の例を用いて説明する。
【００４４】
図７は、本実施の形態による処理例を示す説明図である。
（Ａ−１）個人端末１２０において、参加者であるユーザーの操作に応じて、画面５００で付箋の移動を行う。図５（Ａ−１）と同等の処理である。
（Ａ−２）付箋間の距離から予め定められた閾値以下にいる付箋をグループと認識する。図５（Ａ−２）と同等の処理である。
（Ｂ−１）個人端末１２０におけるグループ化の処理と並行して、共有画面端末１００においてもファシリテーターであるユーザーの操作の操作に応じて、画面７５０で付箋の移動を行う。図７（Ａ−１）と同等の処理である。ただし、別ユーザーによってグループ化の操作が行われているので、異なるグループ構成となる場合がある。この例の場合は、代表対象物が示すグループの付箋群が、共有画面端末１００におけるグループに含まれている場合である。つまり、付箋７５２、付箋７５４、付箋７５６、付箋７６０を１つのグループとしている。
【００４５】
（Ｂ−２）共有画面端末１００における画面７５０（共有画面）で、個人端末１２０によって指定されたグループを受信して、１つの代表対象物７８０（ここでは色が普通の付箋とは異なる付箋オブジェクト）として表示している。図５（Ｂ−２）と同等の処理である。
（Ｂ−３）ユーザーの操作によって代表対象物７８０が選択されると、その代表対象物７８０によって示されていたグループ（付箋群）を展開して、表示する。例えば、（Ｂ−３）の例に示すように、付箋７５２、付箋７５４、付箋７５６を、個人端末１２０でグループ化の処理が行われたことを示すように表示する。例えば、（Ｂ−３）に示すように、付箋７５２等を太線で囲むように表示を変更させる。なお、付箋の位置は、画面７５０における既存の位置（移動処理を行わないで）で表示する。
【００４６】
図８は、本実施の形態による処理例を示すフローチャートである。
ステップＳ８０２では、表示画面Ａで代表対象物に対する操作があったか否かを判断し、あった場合はステップＳ８０４へ進み、それ以外の場合は処理を終了する（ステップＳ８９９）。
ステップＳ８０４では、代表対象物が示すグループの付箋の内、少なくとも１枚が表示画面Ａ上において既にグループに含まれるか否かを判断し、含まれる場合はステップＳ８０６へ進み、それ以外の場合はステップＳ８０８へ進む。
ステップＳ８０６では、表示画面Ａ上において、既にグループに含まれていない付箋を、表示画面Ａでグループに含まれる付箋と同じグループに移動する。
ステップＳ８０８では、代表対象物が示すグループの付箋を、他の付箋と区別する表示を行う。具体的に、図９の例を用いて説明する。
【００４７】
図９は、本実施の形態による処理例を示す説明図である。
図９の例に示す動作は、図５（移動あり）、図７（移動なし）の例に示す両動作を含み、かつ移動先が既存のグループになることを示したものである。
（Ａ−１）個人端末１２０において、参加者であるユーザーの操作に応じて、画面９００で付箋の移動を行う。図５（Ａ−１）と同等の処理である。ただし、ここでは、付箋９０２、付箋９０４、付箋９０６、付箋９０８を移動して、付箋９０２、付箋９０８を、１つのグループとする意図で移動が行われている。
（Ａ−２）付箋間の距離から予め定められた閾値以下にいる付箋をグループと認識する。図５（Ａ−２）と同等の処理である。例えば、付箋９０２、付箋９０８をグループ９３０と認識する。
（Ｂ−１）個人端末１２０におけるグループ化の処理と並行して、共有画面端末１００においてもファシリテーターであるユーザーの操作の操作に応じて、画面９５０で付箋の移動を行う。図７（Ｂ−１）と同等の処理である。
【００４８】
（Ｂ−２）共有画面端末１００における画面９５０（共有画面）で、個人端末１２０によって指定されたグループを受信して、１つの代表対象物９８０（ここでは色が普通の付箋とは異なる付箋オブジェクト）として表示している。図７（Ｂ−２）と同等の処理である。
（Ｂ−３）ユーザーの操作によって代表対象物９８０が選択されると、その代表対象物９８０によって示されていたグループ（付箋群）を展開して、表示する。図７（Ｂ−３）と同等の処理である。
ただし、代表対象物９８０を構成している付箋であるにもかかわらず、共有画面端末１００の画面９５０上でグループ化されていない付箋（（Ｂ−３）では付箋９５８（（Ａ−２）での付箋９０８に該当））は、グループ化されている付箋の周辺の位置に移動する。（Ｂ−３）では、付箋９５８Ｂの位置から付箋９５２Ｂの隣である付箋９５８Ｃの位置に移動する。
【００４９】
図１０は、本実施の形態による処理例を示す説明図である。
図１０の例に示す動作は、図９の例に示す動作が、干渉により移動できないケースを示したものである。さらに、図１０の例では、代表対象物が複数グループをふくむケースでもある。なお、図１０の例に示す処理は、図１１の例に示すフローチャートにしたがって行われる。
（Ａ−１）個人端末１２０において、参加者であるユーザーの操作に応じて、共有画面表示モジュール１１０で付箋の移動を行う。図５（Ａ−１）と同等の処理である。ただし、ここでは、付箋１１０２、付箋１１０４、付箋１１０６、付箋１１０８、付箋１１１０を移動したが、付箋１１０２、付箋１１０４、付箋１１０８を１つのグループとし、付箋１１０６、付箋１１１０を１つのグループとする意図で移動が行われている。
（Ａ−２）付箋間の距離から予め定められた閾値以下にいる付箋をグループと認識する。図５（Ａ−２）と同等の処理である。
（Ｂ−１）個人端末１２０におけるグループ化の処理と並行して、共有画面端末１００においてもファシリテーターであるユーザーの操作に応じて、画面１１５０で付箋の移動を行う。図７（Ｂ−１）と同等の処理である。ただし、ここでは、付箋１１５２、付箋１１５４、付箋１１５６、付箋１１５８、付箋１１６０を移動したが、付箋１１５８、付箋１１６０を１つのグループとし、付箋１１５２、付箋１１５４、付箋１１５６を１つのグループとする意図で移動が行われている。共有画面端末１００でのグループ化の処理（（Ａ−２）のグループ化の処理）とは異なるグループ化が行われている。
【００５０】
（Ｂ−２）共有画面端末１００における画面１１５０（共有画面）で、個人端末１２０によって指定されたグループを受信して、１つの代表対象物１１８０（ここでは色が普通の付箋とは異なる付箋オブジェクト）として表示している。図７（Ｂ−２）と同等の処理である。なお、代表対象物１１８０は、グループ１１３０、グループ１１４０の２つのグループ化の処理結果（１つの個人端末１２０でのグループ化の処理結果）を反映したものである。
（Ｂ−３）ユーザーの操作によって代表対象物１１８０が選択されると、その代表対象物１１８０によって示されていたグループ（付箋群）を展開して、表示する。図７（Ｂ−３）と同等の処理である。
特に、代表対象物１１８０を構成している付箋であるにもかかわらず、共有画面端末１００の画面１１５０上でグループ化されている付箋（グループ化の対象の付箋は同じであるが、グループが異なる付箋がある場合であって、干渉ともいう）は、図７（Ｂ−３）と同等の表示を行う。つまり、図９（Ｂ−３）とは異なり、付箋の移動をしないで、同じグループを構成していることを示す形態（（Ｂ−３）ではグループ１１３０を示す付箋１１５２、付箋１１５４、付箋１１５８の太線のグループと、グループ１１４０を示す付箋１１５６、付箋１１６０の太点線のグループ）で表示する。
【００５１】
図１１は、本実施の形態による処理例を示すフローチャートである。図４、図６、図８の処理例を、判断しながら組み合わせたものである。つまり、ステップＳ１２０６の処理は図４の処理に対応し、ステップＳ１２１４の処理は図６の処理に対応し、ステップＳ１２１２の処理は図８の処理に対応する。なお、ステップＳ１２０８でＹｅｓの場合が図６の処理に対応する。
ステップＳ１２０２では、表示画面Ａで、代表対象物に対する操作があったか否かを判断し、あった場合はステップＳ１２０４へ進み、それ以外の場合は処理を終了する（ステップＳ１２９９）。
ステップＳ１２０４では、代表対象物が示すグループの付箋の内、表示画面Ａで既にグループに含まれる付箋があるか否かを判断し、ある場合はステップＳ１２０８へ進み、それ以外の場合はステップＳ１２０６へ進む。
ステップＳ１２０６では、代表対象物が示すグループの付箋を、表示画面Ａ上で移動して、グループを形成し、他の付箋と区別する表示を行う。
【００５２】
ステップＳ１２０８では、代表対象物が示す同じグループの付箋の内、少なくとも２枚が表示画面Ａ上において、それぞれ既に別のグループに含まれるか否かを判断し、含まれる場合はステップＳ１２１４へ進み、それ以外の場合はステップＳ１２１０へ進む。ステップＳ１２０８での判断で「Ｙｅｓ」となるのは、表示画面Ａ上でのグループが複数あり、代表対象物が示すグループ内の付箋が、表示画面Ａでの複数のグループに存在しているような場合である。例えば、表示画面Ａ上でのグループとしてグループＧ、グループＨがあり、代表対象物が示すグループ内の付箋として、付箋ｘ、付箋ｙがあり、表示画面Ａでは、付箋ｘがグループＧに存在しており、付箋ｙがグループＨに存在しているような場合がある。
ステップＳ１２１０では、表示画面Ａでのグループ内に代表対象物が示すグループの付箋は全て含まれているか否かを判断し、含まれている場合はステップＳ１２１４へ進み、それ以外の場合はステップＳ１２１２へ進む。
ステップＳ１２１２では、表示画面Ａでグループに含まれていない付箋であって、代表対象物が示すグループの付箋を表示画面Ａでグループへ移動して、グループを形成し、他の付箋と区別する表示を行う。
ステップＳ１２１４では、表示画面Ａで付箋の移動をせずに、代表対象物が示すグループの付箋を他の付箋と区別して表示する。
ステップＳ１２１６では、対象とするグループは残っているか否かを判断し、残っている場合はステップＳ１２０４へ戻り、それ以外の場合は処理を終了する（ステップＳ１２９９）。
【００５３】
図１２は、付箋間距離テーブル１３００のデータ構造例を示す説明図である。付箋間距離テーブル１３００は、共有画面端末１００、個人端末１２０（個人端末１２０が複数ある場合は、その個人端末１２０毎）毎に作成される。それぞれの白紙における付箋の座標位置、付箋間の距離を示している。
付箋間距離テーブル１３００Ａは、付箋ＩＤ欄１３１０、Ｘ座標欄１３２０、Ｙ座標欄１３３０、付箋ＩＤ：Ａ欄１３４０、付箋ＩＤ：Ｂ欄１３４２、付箋ＩＤ：Ｃ欄１３４４、付箋ＩＤ：Ｄ欄１３４６、付箋ＩＤ：Ｅ欄１３４８、付箋ＩＤ：Ｆ欄１３５０を有している。
付箋ＩＤ欄１３１０は、本実施の形態において、付箋を一意に識別するための情報（付箋ＩＤ：ＩＤｅｎｔｉｆｉｃａｔｉｏｎ）を記憶している。Ｘ座標欄１３２０は、Ｘ座標を記憶している。Ｙ座標欄１３３０は、Ｙ座標を記憶している。付箋ＩＤ：Ａ欄１３４０は、付箋ＩＤ：Ａとの距離を記憶している。付箋ＩＤ：Ｂ欄１３４２は、付箋ＩＤ：Ｂとの距離を記憶している。付箋ＩＤ：Ｃ欄１３４４は、付箋ＩＤ：Ｃとの距離を記憶している。付箋ＩＤ：Ｄ欄１３４６は、付箋ＩＤ：Ｄとの距離を記憶している。付箋ＩＤ：Ｅ欄１３４８は、付箋ＩＤ：Ｅとの距離を記憶している。付箋ＩＤ：Ｆ欄１３５０は、付箋ＩＤ：Ｆとの距離を記憶している。つまり、各付箋間の距離（ここではユークリッド距離）を記憶している。
【００５４】
図１３は、画面１４００における付箋Ａ〜Ｆの配置例を示す説明図である。画面１４００は、共有画面端末１００、個人端末１２０（個人端末１２０が複数ある場合は、その個人端末１２０毎）毎の画面を示している。左下を原点（０，０）として、０〜１までのｘ軸（右方向）、ｙ軸（上方向）によって構成される座標空間における位置、距離を、図１２の例に示す付箋間距離テーブル１３００で表現している。
例えば、グループ化判定のための閾値を０．１５に設定した場合は、付箋Ａ〜Ｆのうち、付箋Ｂ−Ｃ、付箋Ｄ−Ｅ間の距離が閾値以下（又は未満）となるため、これらをそれぞれグルーピング対象とする。
これらの判定を、この作業を行っている画面単位で実施する。なお、ユーザー単位で実施してもよいし、ユーザー単位としなくてもよい。
【００５５】
図１４、図１５は、本実施の形態による処理例を示す説明図である。複数名でのグループ化処理の結果の反映について説明する。
ユーザーＲのグルーピング判定の結果（図１４の例に示す画面１５００内の結果）をユーザーＬの画面１６００に反映させるケースを示したものである。図１４の例に示すように、ユーザーＲの操作に応じて、付箋Ｂ−Ｃ、付箋Ｅ−Ｆをそれぞれグループ１５３０、グループ１５４０として判定しているので、それぞれ代表対象物Ｒ１、代表対象物Ｒ２とする。ユーザーＬのグルーピング判定の結果は、図１５（ａ）の例に示す画面１６００内の結果のように、付箋Ｂ−Ｃ、付箋Ｄ−Ｅをそれぞれグループ１６３０、グループ１６４０として判定している。そして、ユーザーＲの操作が終了した時点（又はユーザーＬの操作が終了した時点）で、図１５（ｂ）の例に示すように、グループ１５３０、グループ１５４０にそれぞれ該当する代表対象物Ｒ１、Ｒ２をユーザーＬ側の画面１６００に反映させる。
なお、個人端末１２０間によるグループのマージは、非同期での作業を想定したものである。例えば、共有画面端末１００の共有画面がなく、各ユーザーが個人端末１２０上で付箋の移動をした場合、新しく他のユーザーが参加したタイミングで、他のユーザーのグルーピングした結果の代表対象物が表示され、必要な作業をトレースした上で自分の作業を行うことがきる。反対に他人の影響を受けずにグルーピング作業をして、それに他人の結果をマージさせるタイミングで代表対象物を表示するようにしてもよい。
【００５６】
なお、本実施の形態としてのプログラムが実行されるコンピュータ（共有画面端末１００、個人端末１２０、電子付箋制御装置１５０）のハードウェア構成は、図１６に例示するように、一般的なコンピュータであり、具体的にはパーソナルコンピュータ、サーバーとなり得るコンピュータ等である。つまり、具体例として、処理部（演算部）としてＣＰＵ１７０１を用い、記憶装置としてＲＡＭ１７０２、ＲＯＭ１７０３、ＨＤ１７０４を用いている。ＨＤ１７０４として、例えばハードディスク、ＳＳＤ（Ｓｏｌｉｄ  Ｓｔａｔｅ  Ｄｒｉｖｅ）を用いてもよい。付箋モジュール１０５、共有画面表示モジュール１１０、共有画面編集モジュール１１５、付箋モジュール１２５、共有画面表示モジュール１３０、共有画面個別編集モジュール１３５、端末管理モジュール１５５、付箋、グループ情報管理モジュール１６０、付箋間距離計算モジュール１６５、端末グループ差分判定モジュール１７０、グループ判定モジュール１７５等のプログラムを実行するＣＰＵ１７０１と、そのプログラムやデータを記憶するＲＡＭ１７０２と、本コンピュータを起動するためのプログラム等が格納されているＲＯＭ１７０３と、補助記憶装置（フラッシュメモリ等であってもよい）であるＨＤ１７０４と、キーボード、マウス、タッチパネル等に対する利用者の操作に基づいてデータを受け付ける受付装置１７０６と、ＣＲＴ、液晶ディスプレイ等の出力装置１７０５と、ネットワークインタフェースカード等の通信ネットワークと接続するための通信回線インタフェース１７０７、そして、それらをつないでデータのやりとりをするためのバス１７０８により構成されている。これらのコンピュータが複数台互いにネットワークによって接続されていてもよい。
【００５７】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１６に示すハードウェア構成は、１つの構成例を示すものであり、本実施の形態は、図１６に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１６に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００５８】
前述の実施の形態においては、電子付箋制御装置１５０でのグループ化等の処理を行う例を示したが、個人端末１２０で同等の処理を行うようにしてもよい。つまり、個人端末１２０でグループ指定を行い、代表対象物への置換も行う。そのために、例えば、個人端末１２０は、次のような構成であってもよい。
共有画面端末１００と通信する通信モジュールと、複数の付箋を表示する第２表示モジュールと、前記第２表示モジュールに表示される複数の付箋について、グループの指定に関する指示を受け付ける第２の指定受付モジュールと、前記第２の指定受付モジュールにより、グループ指定された複数の付箋から、１の代表対象物を生成する第２の対象物生成モジュールと、共有画面端末１００が備える第１表示モジュールに前記代表対象物を表示するように指示する指示モジュールと、を備える。
例えば、前述したグループの指定（Ａ１）、（Ａ２）に関して、前述の実施の形態では、電子付箋制御装置１５０（グループ判定モジュール１７５）が判断したが、個人端末１２０で、グループの指定有無を判断してもよい。例えば、個人端末１２０でグループの指定を行い、その判断も行った場合には、電子付箋制御装置１５０は、その指定結果を受け付けることとなる。逆に、電子付箋制御装置１５０側でグループ化の判断を行う場合には、電子付箋制御装置１５０は、個人端末１２０に表示された付箋に対する操作情報を受け付けて、電子付箋制御装置１５０側でグループ化の処理を行うこととなる。
【００５９】
また、代表対象物が表示されたときには、共有画面端末１００の表示装置上では代表対象物を構成している付箋はそのまま表示されている。このため、代表対象物を構成している付箋は、表示位置を二つ（そのままの付箋の位置と代表対象物の位置）持つことになる。しかし、代表対象物を最初に表示した位置には特に意味がないため、表示した直後で２つ位置を持つこと自体は問題ない。
なお、表示されている付箋を代表対象物の位置に移動するようにしてもよい。付箋を移動して、代表対象物を展開しないままにする場合、その付箋が代表対象物に含まれたことを示す表示を行う。もちろんのことながら、移動しているので、付箋は元の位置から表示を消去する。
【００６０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６１】
１００…共有画面端末
１０５…付箋モジュール
１１０…共有画面表示モジュール
１１５…共有画面編集モジュール
１２０…個人端末
１２５…付箋モジュール
１３０…共有画面表示モジュール
１３５…共有画面個別編集モジュール
１５０…電子付箋制御装置
１５５…端末管理モジュール
１６０…付箋、グループ情報管理モジュール
１６５…付箋間距離計算モジュール
１７０…端末グループ差分判定モジュール
１７５…グループ判定モジュール
２１０…会議室
２９０…通信回線
【図１】
2019175518.tif 000003
【図２】
2019175518.tif 000004
【図３】
2019175518.tif 000005
【図４】
2019175518.tif 000006
【図５】
2019175518.tif 000007
【図６】
2019175518.tif 000008
【図７】
2019175518.tif 000009
【図８】
2019175518.tif 000010
【図９】
2019175518.tif 000011
【図１０】
2019175518.tif 000012
【図１１】
2019175518.tif 000013
【図１２】
2019175518.tif 000014
【図１３】
2019175518.tif 000015
【図１４】
2019175518.tif 000016
【図１５】
2019175518.tif 000017
【図１６】
2019175518.tif 000018
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
他の装置において表示される対象物のうち複数の対象物をグループとして扱うグループ情報を取得する取得手段と、
前記取得したグループ情報に基づき、前記対象物と前記グループの代表対象物とを表示する表示手段と
を備える情報処理装置。
【請求項２】
前記代表対象物は、前記グループに含まれる対象物として表示される、
請求項１に記載の情報処理装置。
【請求項３】
前記代表対象物は、前記グループに含まれる対象物の一つを縮小して表示される、
請求項２に記載の情報処理装置。
【請求項４】
コンピュータを、
他の装置において表示される対象物のうち複数の対象物をグループとして扱うグループ情報を取得する取得手段と、
前記取得したグループ情報に基づき、前記対象物と前記グループの代表対象物とを表示する表示手段
として機能させる情報処理プログラム。
【請求項５】
第１の情報処理装置に表示される複数の対象物について特定の関係にある複数の対象物をグループとして決定する決定手段と、
第２の情報処理装置に前記複数の対象物と前記グループに対応する代表対象物とを表示する表示手段と
からなる情報処理システム。
【手続補正３】
【補正対象書類名】明細書
【補正対象項目名】０００１
【補正方法】変更
【補正の内容】
【０００１】
本発明は、情報処理装置、情報処理プログラム及び情報処理システムに関する。
【手続補正４】
【補正対象書類名】明細書
【補正対象項目名】０００７
【補正方法】変更
【補正の内容】
【０００７】
本発明は、他の装置において表示される対象物に関するグループ情報に基づき、対象物とグループの代表対象物とを表示するようにした情報処理装置、情報処理プログラム及び情報処理システムを提供することを目的としている。
【手続補正５】
【補正対象書類名】明細書
【補正対象項目名】０００９
【補正方法】変更
【補正の内容】
【０００９】
請求項１の発明は、他の装置において表示される対象物のうち複数の対象物をグループとして扱うグループ情報を取得する取得手段と、前記取得したグループ情報に基づき、前記対象物と前記グループの代表対象物とを表示する表示手段とを備える情報処理装置である。
【手続補正６】
【補正対象書類名】明細書
【補正対象項目名】００１０
【補正方法】変更
【補正の内容】
【００１０】
請求項２の発明は、前記代表対象物は、前記グループに含まれる対象物として表示される、請求項１に記載の情報処理装置である。
【手続補正７】
【補正対象書類名】明細書
【補正対象項目名】００１１
【補正方法】変更
【補正の内容】
【００１１】
請求項３の発明は、前記代表対象物は、前記グループに含まれる対象物の一つを縮小して表示される、請求項２に記載の情報処理装置である。
【手続補正８】
【補正対象書類名】明細書
【補正対象項目名】００１２
【補正方法】変更
【補正の内容】
【００１２】
請求項４の発明は、コンピュータを、他の装置において表示される対象物のうち複数の対象物をグループとして扱うグループ情報を取得する取得手段と、前記取得したグループ情報に基づき、前記対象物と前記グループの代表対象物とを表示する表示手段として機能させる情報処理プログラムである。
【手続補正９】
【補正対象書類名】明細書
【補正対象項目名】００１３
【補正方法】変更
【補正の内容】
【００１３】
請求項５の発明は、第１の情報処理装置に表示される複数の対象物について特定の関係にある複数の対象物をグループとして決定する決定手段と、第２の情報処理装置に前記複数の対象物と前記グループに対応する代表対象物とを表示する表示手段とからなる情報処理システムである。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項１の情報処理装置によれば、他の装置において表示される対象物に関するグループ情報に基づき、対象物とグループの代表対象物とを表示できる。
【手続補正１３】
【補正対象書類名】明細書
【補正対象項目名】００１７
【補正方法】変更
【補正の内容】
【００１７】
請求項２の情報処理装置によれば、代表対象物として、グループに含まれる対象物を表示できる。
【手続補正１４】
【補正対象書類名】明細書
【補正対象項目名】００１８
【補正方法】変更
【補正の内容】
【００１８】
請求項３の情報処理装置によれば、代表対象物は、グループに含まれる一つの対象物の縮小を表示できる。
【手続補正１５】
【補正対象書類名】明細書
【補正対象項目名】００１９
【補正方法】変更
【補正の内容】
【００１９】
請求項４の情報処理プログラムによれば、他の装置において表示される対象物に関するグループ情報に基づき、対象物とグループの代表対象物とを表示できる。
【手続補正１６】
【補正対象書類名】明細書
【補正対象項目名】００２０
【補正方法】変更
【補正の内容】
【００２０】
請求項５の情報処理システムによれば、第１の情報処理装置に表示される複数の対象物についてグループを決定することができ、第２の情報処理装置に複数の対象物とグループに対応する代表対象物とを表示できる。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００６０
【補正方法】変更
【補正の内容】
【００６０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
前述の実施の形態は以下のように把握してもよい。
例えば、課題として以下のものがある。
本実施の形態は、複数の対象物をグループ化するにあたって、グループ指定の結果を代表対象物として表示させるように制御できるようにした表示制御装置、通信端末及び表示制御プログラムを提供することを目的としている。
［Ａ１］
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段と、
を備える表示制御装置。
［Ａ２］
前記指定受付手段は、通信接続された端末から、前記複数の対象物についてグループの指定を受け付け、
前記第１の対象物生成手段は、前記指定受付手段がグループの指定を受け付ける毎に１の代表対象物を生成し、
前記表示制御手段は、前記第１の対象物生成手段によって代表対象物が生成される毎に、該代表対象物と前記グループ指定された対象物とを、前記第１表示手段に表示する、
［Ａ１］に記載の表示制御装置。
［Ａ３］
前記代表対象物に対してグループ指定の解除を受け付けた場合に、該代表対象物を構成する対象物を、該代表対象物の位置に応じた箇所に表示する、指定解除手段、
を備える［Ａ１］又は［Ａ２］に記載の表示制御装置。
［Ａ４］
前記指定解除手段によりグループ指定の解除を受け付けた代表対象物について、該代表対象物を構成する複数の対象物と、該代表対象物以外であって予め定めた関係にある複数の対象物とが、少なくとも１以上重複する場合には、該重複する対象物に対して重複する旨を示唆する表示態様にする、表示態様制御手段
を備える［Ａ３］に記載の表示制御装置。
［Ａ５］
前記指定受付手段は、少なくとも１の対象物が移動操作された結果、該対象物の移動先での位置と、予め定めた位置関係にある対象物同士を、グループ指定された複数の対象物として受け付ける、
［Ａ１］から［Ａ４］のいずれか一項に記載の表示制御装置。
［Ａ６］
表示制御装置と通信する通信手段と、
複数の対象物を表示する第２表示手段と、
前記第２表示手段に表示される複数の対象物について、グループの指定に関する指示を受け付ける第２の指定受付手段と、
前記第２の指定受付手段により、グループ指定された複数の対象物から、１の代表対象物を生成する第２の対象物生成手段と、
前記表示制御装置が備える第１表示手段に前記代表対象物を表示するように指示する指示手段と、
を備える通信端末。
［Ａ７］
コンピュータを、
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段
として機能させるための表示制御プログラム。
そして、前述の発明は、以下の効果を有する。
［Ａ１］の表示制御装置によれば、複数の対象物をグループ化するにあたって、グループ化指定の結果を代表対象物として表示させるように制御できる。
［Ａ２］の表示制御装置によれば、端末によってグループ化指定が行われる毎に、代表対象物を表示することができる。
［Ａ３］の表示制御装置によれば、グループ指定の解除を受け付けた場合に、その代表対象物を構成する対象物を、その代表対象物の位置に応じた箇所に表示することができる。
［Ａ４］の表示制御装置によれば、ある対象物が複数のグループにおいて重複採用されている場合、その重複する旨を示唆する表示態様にするように制御することができる。
［Ａ５］の表示制御装置によれば、対象物の移動操作によって、グループ指定を行うことができる。
［Ａ６］の通信端末によれば、通信端末でグループ指定と代表対象物を生成することができる。
［Ａ７］の表示制御プログラムによれば、複数の対象物をグループ化するにあたって、グループ化指定の結果を代表対象物として表示させるように制御できる。
また、前述の実施の形態は以下のように把握してもよい。
［Ｂ１］
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段と、
前記代表対象物に対してグループ指定の解除を受け付けた場合に、該代表対象物を構成する対象物を、該代表対象物の位置に応じた箇所に表示する、指定解除手段と、
前記指定解除手段によりグループ指定の解除を受け付けた代表対象物について、該代表対象物を構成する複数の対象物と、該代表対象物以外であって予め定めた関係にある複数の対象物とが、少なくとも１以上重複する場合には、該重複する対象物に対して重複する旨を示唆する表示態様にする、表示態様制御手段
を備える表示制御装置。
［Ｂ２］
前記指定受付手段は、通信接続された端末から、前記複数の対象物についてグループの指定を受け付け、
前記第１の対象物生成手段は、前記指定受付手段がグループの指定を受け付ける毎に１の代表対象物を生成し、
前記表示制御手段は、前記第１の対象物生成手段によって代表対象物が生成される毎に、該代表対象物と前記グループ指定された対象物とを、前記第１表示手段に表示する、
［Ｂ１］に記載の表示制御装置。
［Ｂ３］
前記指定受付手段は、少なくとも１の対象物が移動操作された結果、該対象物の移動先での位置と、予め定めた位置関係にある対象物同士を、グループ指定された複数の対象物として受け付ける、
［Ｂ１］又は［Ｂ２］に記載の表示制御装置。
［Ｂ４］
コンピュータを、
第１表示手段に表示される複数の対象物について、グループの指定に関する指示を受け付ける指定受付手段と、
前記グループ指定された複数の対象物から、１の代表対象物を生成する第１の対象物生成手段と、
前記グループ指定された複数の対象物と前記代表対象物とを、前記第１表示手段に表示する、表示制御手段と、
前記代表対象物に対してグループ指定の解除を受け付けた場合に、該代表対象物を構成する対象物を、該代表対象物の位置に応じた箇所に表示する、指定解除手段と、
前記指定解除手段によりグループ指定の解除を受け付けた代表対象物について、該代表対象物を構成する複数の対象物と、該代表対象物以外であって予め定めた関係にある複数の対象物とが、少なくとも１以上重複する場合には、該重複する対象物に対して重複する旨を示唆する表示態様にする、表示態様制御手段
として機能させるための表示制御プログラム。
そして、前述の発明は、以下の効果を有する。
［Ｂ１］の表示制御装置によれば、複数の対象物をグループ化するにあたって、グループ化指定の結果を代表対象物として表示させるように制御できる。また、グループ指定の解除を受け付けた場合に、その代表対象物を構成する対象物を、その代表対象物の位置に応じた箇所に表示することができる。そして、ある対象物が複数のグループにおいて重複採用されている場合、その重複する旨を示唆する表示態様にするように制御することができる。
［Ｂ２］の表示制御装置によれば、端末によってグループ化指定が行われる毎に、代表対象物を表示することができる。
［Ｂ３］の表示制御装置によれば、対象物の移動操作によって、グループ指定を行うことができる。
［Ｂ４］の表示制御プログラムによれば、複数の対象物をグループ化するにあたって、グループ化指定の結果を代表対象物として表示させるように制御できる。また、グループ指定の解除を受け付けた場合に、その代表対象物を構成する対象物を、その代表対象物の位置に応じた箇所に表示することができる。そして、ある対象物が複数のグループにおいて重複採用されている場合、その重複する旨を示唆する表示態様にするように制御することができる。